(57)【要約】【課題】セパレータの組付け忘れの専用チェックを不要として、検査工程を減らすことができる熱交換器を提供する。【解決手段】セパレータ位置決め孔２１が設けられたタンク２と、タンク２の外側に取着されるブラケット１と、ブラケット１を介してタンク２に取着され、セパレータ位置決め孔２１を覆うように配置される被取着部品３とを備え、タンク２内を仕切るセパレータ４を組み付けるとき、セパレータ４の一部をセパレータ位置決め孔２１に挿入するように構成された熱交換器であって、ブラケット１に、セパレータ位置決め孔２１を覆う部位から側縁１８までを欠落させた欠落部１７を設けることにより、被取着部品３が取着された状態であってもセパレータ位置決め孔２１と外部とを連通する空間を形成するように構成する。【選択図】  図３
2004219026.tif 000002
【特許請求の範囲】
【請求項１】
セパレータ位置決め孔が設けられたタンクと、
前記タンクの外側に取着されるブラケットと、
前記ブラケットを介して前記タンクに取着され、前記セパレータ位置決め孔を覆うように配置される被取着部品と、
を備え、
前記タンク内を仕切るセパレータを前記タンクに組み付けるとき、前記セパレータの一部を前記セパレータ位置決め孔に挿入するように構成された熱交換器であって、
前記ブラケットにより、前記被取着部品が取着された状態であっても前記セパレータ位置決め孔と外部とを連通する空間が形成されていることを特徴とする熱交換器。
【請求項２】
前記ブラケットに、前記ブラケットの前記セパレータ位置決め孔を覆う部位から側縁までを欠落させた欠落部を設けることにより、前記空間が形成されていることを特徴とする請求項１記載の熱交換器。
【発明の詳細な説明】
【０００１】
【発明の属する技術分野】
本発明は、タンク内を仕切るセパレータの組付け忘れを検出可能な熱交換器に関する。
【０００２】
【従来の技術】
従来、車両用熱交換器のタンク２００に別部品を取着する際には、図５に示すようなブラケット１００が用いられている。ブラケット１００は金属製で、平面視において略矩形の板状に形成され、長手方向両端部１０１、１０２の両側に、互いに対向する爪部１０３、１０４、爪部１０５、１０６がそれぞれ突設されている。また、ブラケット１００の中央部位には、平面視において略矩形状に欠落された欠落部１０７が形成されている。
【０００３】
そして、このように構成されたブラケット１００を、図６に示すように、爪部１０３、１０４等の突出側を外方に向け、熱交換器のタンク２００の外側にタンク２００の長手方向に沿って、図示しないカシメ爪をかしめることにより仮固定する。このとき、ブラケット１００によってタンク２００に設けられたセパレータ位置決め孔２０１が覆われないように、欠落部１０７内にセパレータ位置決め孔２０１を配置する。すなわち、外方からセパレータ位置決め孔２０１が視認できるようにする。
【０００４】
なお、セパレータ位置決め孔２０１とは、タンク２００内を仕切るためのセパレータ（図示せず）をタンク２００内に組み付ける際、セパレータに設けられた突出部を挿入することにより、セパレータの組付け位置を決めるためのものであり、セパレータが正しい位置に組み付けられると、セパレータ位置決め孔２０１はセパレータにより閉塞されることとなる。
【０００５】
このようにブラケット１００をタンク２００に取着後、図６の仮想線で示すように、ブラケット１００に被取着部品（ここでは、モジュレータタンクであるので、以下、モジュレータタンクと言う。）３００を載置し、爪部１０３、１０４等をかしめてモジュレータタンク３００を仮固定する。
【０００６】
一方、タンク２００のモジュレータタンク３００が取着される側と反対側には、図示しないチューブ、フィン等を取着する。そして、かかる状態の熱交換器を炉内で加熱することにより、タンク２００、ブラケット１００、モジュレータタンク３００、チューブ、フィン等を互いにろう付けし、正式に固着する。なお、ブラケット１００等の表面には、予め塗布・被覆等によりろう材層が設けられている。
【０００７】
なお、ブラケット１００を有する熱交換器ついての先行技術文献情報は持っていないが、従来の熱交換器についての先行技術文献情報としては以下のものがある。
【０００８】
【特許文献１】
特開２００２−２６７３８８公報
【０００９】
【発明が解決しようとする課題】
しかし、図６に示す熱交換器においては、セパレータを組付け忘れたまま、ブラケット１００及びモジュレータタンク３００をタンク２００にろう付けしてしまうと、セパレータ位置決め孔２０１に連通する欠落部１０７が、モジュレータタンク３００により密閉されてしまうため、ろう付け後に漏れが無いかどうかを検出する気密試験においては、セパレータ位置決め孔２０１からの漏れは検出されない。
【００１０】
また、ブラケット１００及びモジュレータタンク３００によりセパレータ位置決め孔２０１が外部から視認できなくなってしまうので、外部からセパレータ位置決め孔２０１が閉塞されているか（すなわち、セパレータが組み付けられているか）を確認することも不可能となる。
【００１１】
そこで、例えば、タンク２００内にエアを通してその抵抗を調べるといった専用チェックによって、セパレータの組み付け忘れを検出しなければならず、検査工程が多いという問題があった。
【００１２】
この発明は、上述した問題を解決するものであり、セパレータの組付け忘れの専用チェックを不要として、検査工程を減らすことができる熱交換器を提供することを目的とする。
【００１３】
【課題を解決するための手段】
本発明の熱交換器は、セパレータ位置決め孔が設けられたタンクと、前記タンクの外側に取着されるブラケットと、前記ブラケットを介して前記タンクに取着され、前記セパレータ位置決め孔を覆うように配置される被取着部品と、を備え、前記タンク内を仕切るセパレータを前記タンクに組み付けるとき、前記セパレータの一部を前記セパレータ位置決め孔に挿入するように構成された熱交換器であって、前記ブラケットにより、前記被取着部品が取着された状態であっても前記セパレータ位置決め孔と外部とを連通する空間が形成されていることを特徴とする。
【００１４】
これによれば、被取着部品が取着された状態であっても前記セパレータ位置決め孔と外部とが連通されているので、セパレータを組付け忘れた場合には、ろう付け後の気密試験においてセパレータ位置決め孔からの漏れが生じることとなって、セパレータの組付け忘れを検出できる。したがって、セパレータの組付け忘れの専用チェックが不要となり、検査工程を減らすことができる。
【００１５】
ここで、前記ブラケットに、前記ブラケットの前記セパレータ位置決め孔を覆う部位から側縁までを欠落させた欠落部を設けることにより、前記空間が形成されていることが好ましい。
【００１６】
これによれば、被取着部品が取着された状態であってもセパレータ位置決め孔と外部とを連通するようなブラケットを、簡単な構成で実現できる。そして、かかるブラケットを介して被取着部品を取着すれば、セパレータを組付け忘れた場合には、ろう付け後の気密試験においてセパレータ位置決め孔からの漏れが生じることとなって、セパレータの組付け忘れを検出でき、検査工程を減らすことができる。
【００１７】
【発明の実施の形態】
以下、本発明の一実施形態を図面に基づいて説明する。
【００１８】
図１に示すブラケット１は金属製で、後述する欠落部１７も含めて全体として平面視において略矩形をなす板状に形成され、長手方向両端部１１、１２の両側には、爪部１３、１４、爪部１５、１６が、それぞれブラケット１の同じ側に突出するように形成されている。なお、爪部１３、１４は互いに対向し、爪部１５、１６は互いに対向している。
【００１９】
ブラケット１には、略矩形状の欠落部１７が形成されている。この欠落部１７は、ブラケット１のセパレータ位置決め孔２１（図２参照）を覆う部位１０を含む中央部位から、側縁１８までを欠落させたものであり、この欠落部１７を除けば、ブラケット１は平面視において略コ字形状をなしている。欠落部１７の両側には、後述するモジュレータタンク３とタンク２とを連通するための略矩形状の開口部１９、２０が形成されている。
【００２０】
そして、このように構成されたブラケット１を、図２に示すように、爪部１３、１４等の突出側を外方に向け、熱交換器（本実施形態では車両用熱交換器）のタンク２の外側にタンク２の長手方向に沿って、ブラケット１に設けられたカシメ爪（図示せず）をかしめることにより仮固定する。このとき、ブラケット１によってタンク２に設けられたセパレータ位置決め孔２１が覆われないように、欠落部１７内にセパレータ位置決め孔２１を配置する。すなわち、外方からセパレータ位置決め孔２１が視認できるようにする。
【００２１】
ここで、セパレータ位置決め孔２１とは、図３に示すように、タンク２内を仕切るためのセパレータ４をタンク２内に組み付ける際、セパレータ４の先端部に設けられた突出部４１を挿入することにより、セパレータ４の組付け位置を決めるためのものである。詳しくは、タンク２は略筒状をなして、両端は図示しないタンクキャップにより閉塞されている。そして、タンクキャップを除くタンク本体は外側部材２２と内側部材２３とから構成されて、外側部材２２に設けられたセパレータ位置決め孔２１にセパレータ４の突出部４１を挿入し、外側部材２２に内側部材２３を組み合わせることにより、タンク２内にはセパレータ４で仕切られた２つの空間が形成されることとなる。そして、セパレータ４が正しい位置に組み付けられると、セパレータ位置決め孔２１はセパレータ４により閉塞されることとなる。
【００２２】
そして、セパレータ４が組み付けられたタンク２に、上述したようにブラケット１を仮固定した後、図３に示すように、ブラケット１に被取着部品（ここでは、モジュレータタンクであるので、以下、モジュレータタンクと言う。）３を載置し、爪部１３、１４等をかしめてモジュレータタンク３を仮固定する。モジュレータタンク３は、タンク２内に流入する冷媒やタンク２内から流出する冷媒を貯留等するためのものである。
【００２３】
一方、タンク２のモジュレータタンク３が取着される側と反対側には、図示しないチューブ、フィン等を取着する。なお、チューブ、フィン等については周知であるので説明を省略する。そして、かかる状態の熱交換器を炉内で加熱してろう付けすることにより、タンク２には、ブラケット１を介してモジュレータタンク３が正式に固着されるとともに、チューブ、フィン等が正式に固着されることとなる。なお、ブラケット１等の表面には、予め塗布・被覆等によりろう材層が設けられている。
【００２４】
ここで、セパレータ４が組付けられていない場合、図４に示すように、セパレータ位置決め孔２１が閉塞されていない状態となっている。本実施形態の熱交換器では、欠落部１７がセパレータ位置決め孔２１を覆う部分１０（図１参照）から側縁１８まで至っているので、側方からセパレータ位置決め孔２１を視認し、閉塞されているか否かを確認することができる。したがって、外観チェックによりセパレータ４の組付け忘れを検出することができる。
【００２５】
また、ろう付け後、漏れが生じないか否かを調べるため、例えばヘリウムガスを熱交換器に通してその漏れを検出器で検出する等の気密試験が行われるが、本実施形態の熱交換器では、モジュレータタンク３がろう付けされていても、欠落部１７は閉塞されることなく、セパレータ位置決め孔２１と外部とを連通する空間を形成しているので、セパレータ４が組み付けられていない場合には、気密試験の際に、セパレータ位置決め孔２１から欠落部１７を介して外部にガスが漏れることとなる。すなわち、気密試験において同時にセパレータ４の組付け忘れを検出できることとなり、セパレータ４の組付け忘れを検出するための専用チェックが不要となって、検査工程を減らすことができる。
【００２６】
なお、欠落部１７の形状は略矩形状に限らず、例えば略三角形状や略半円形状でもよく、要するに、欠落部１７は、セパレータ位置決め孔２１を覆う部分１０から側縁１８までを連続して欠落させるものであればよい。
【００２７】
また、欠落部１７を設ける代わりに、例えば、ブラケット１のセパレータ位置決め孔２１を覆う部分１０から側縁１８までを、タンク２に向かう側と反対側に膨出させることにより、ブラケット１をタンク２に取着したときにタンク２とブラケット１の膨出部分との間に空間が開くように構成し、その空間によりセパレータ位置決め孔２１と外部とを連通するように構成してもよい。但し、欠落部１７を設けることとすれば、簡単な構成で、モジュレータタンク３が取着されてもセパレータ位置決め孔２１と外部とを連通するようなブラケット１を実現できる。
【００２８】
すなわち、特許請求の範囲を逸脱しない範囲で、本発明は種々の構成を採り得る。
【図面の簡単な説明】
【図１】本発明の一実施形態に係る熱交換器のブラケットの概略斜視図
【図２】図１のブラケットを熱交換器のタンクに取着した状態の概略斜視図
【図３】図２のブラケットにモジュレータタンクを取着した状態の概略斜視図
【図４】セパレータが組み付けられていない状態で、図２のブラケットにモジュレータタンクを取着した状態の概略斜視図
【図５】従来の熱交換器のブラケットの概略斜視図
【図６】図５のブラケットを熱交換器のタンクに取着した状態の概略斜視図
【符号の説明】
１…ブラケット
２…タンク
３…モジュレータタンク（被取着部品）
４…セパレータ
１０…部位
１７…欠落部
１８…側縁
２１…セパレータ位置決め孔
【図１】
2004219026.tif 000003
【図２】
2004219026.tif 000004
【図３】
2004219026.tif 000005
【図４】
2004219026.tif 000006
【図５】
2004219026.tif 000007
【図６】
2004219026.tif 000008